(57)【特許請求の範囲】
【請求項１】
布地を縫い合わせて所定形状の装飾物を作製するための装飾物作製用補助具であって、
それぞれが直線状の基端縁およびこの基端縁の両端につながる外周縁を有する第１および第２のプレートと、上記第１および第２のプレートを、これらの基端縁において回動可能に連結する連結部とを備え、
上記第１のプレートの外周縁と上記第２のプレートの外周縁とは、上記連結部を挟んで略対称とされ、
上記第１および第２のプレートは、互いに重なり合うように折り畳み可能とされており、
上記第１のプレートは、その外周縁において周囲よりも内側に窪んだ第１および第２の凹部と、相互に離間する１番目からＮ番目（Ｎは２以上の整数。以下同じ）までのＮ個の第１の長孔と、を有する一方、上記第２のプレートは、相互に離間する１番目からＮ＋１番目までのＮ＋１個の第２の長孔を有しており、
上記第１および第２の長孔の両端部は、上記第１および第２のプレートの外周縁付近に位置し、
上記第１および第２のプレートが重合する状態において、上記第１の凹部と１番目の上記第２の長孔の一方の端部とが連通し、ｉ番目（ｉは１≦ｉ≦Ｎを満たす整数。以下同じ。）の上記第２の長孔の他方の端部とｉ番目の上記第１の長孔の一方の端部とが連通し、ｉ番目の上記第１の長孔の他方の端部とｉ＋１番目の上記第２の長孔の一方の端部とが連通し、Ｎ＋１番目の上記第２の長孔の他方の端部と上記第２の凹部とが連通するように構成されている、装飾物作製用補助具。
【請求項２】
上記第１および第２のプレートにおいて、上記第１および第２の凹部ならびに上記第１および第２の長孔の両端部のそれぞれの近傍には、針を通すべき順序を示す番号表記が設けられている、請求項１に記載の装飾物作製用補助具。
【請求項３】
上記番号表記は、上記第１および第２のプレートが重合する状態において上記第１および第２の凹部ならびに上記第１および第２の長孔の両端部のうち互いに連通するものについては同一番号とされており、上記各第１の長孔および上記各第２の長孔における一方の端部と他方の端部については連続番号とされている、請求項２に記載の装飾物作製用補助具。
【請求項４】
上記各第１の長孔および上記各第２の長孔は、両端部における幅寸法が当該両端部に連通する中間部における幅よりも大とされている、請求項１ないし３のいずれかに記載の装飾物作製用補助具。
【請求項５】
上記第１および第２のプレートが重合する状態を維持するためのロック手段をさらに備える、請求項１ないし４のいずれかに記載の装飾物作製用補助具。
【請求項６】
上記第１および第２のプレートのうちこれらが重合する際に対向する表面には、上記基端縁が延びる方向に沿って延びる突起が形成されている、請求項１ないし５のいずれかに記載の装飾物作製用補助具。
【請求項７】
装飾物作製用補助具を用いて装飾物を作製する方法であって、
上記装飾物作製用補助具は、それぞれが直線状の基端縁およびこの基端縁の両端につながる外周縁を有する第１および第２のプレートと、上記第１および第２のプレートを、これらの基端縁において回動可能に連結する連結部とを備え、
上記第１のプレートの外周縁と上記第２のプレートの外周縁とは、上記連結部を挟んで略対称とされ、
上記第１および第２のプレートは、互いに重なり合うように折り畳み可能とされており、
上記第１のプレートは、その外周縁において周囲よりも内側に窪んだ第１および第２の凹部と、相互に離間する１番目からＮ番目（Ｎは２以上の整数。以下同じ）までのＮ個の第１の長孔と、を有する一方、上記第２のプレートは、相互に離間する１番目からＮ＋１番目までのＮ＋１個の第２の長孔を有しており、
上記第１および第２の長孔の両端部は、上記第１および第２のプレートの外周縁付近に位置し、
上記第１および第２のプレートが重合する状態において、上記第１の凹部と１番目の上記第２の長孔の一方の端部とが連通し、ｉ番目（ｉは１≦ｉ≦Ｎを満たす整数。以下同じ。）の上記第２の長孔の他方の端部とｉ番目の上記第１の長孔の一方の端部とが連通し、ｉ番目の上記第１の長孔の他方の端部とｉ＋１番目の上記第２の長孔の一方の端部とが連通し、Ｎ＋１番目の上記第２の長孔の他方の端部と上記第２の凹部とが連通するように構成されており、
上記第１および第２のプレートが展開する状態にあるとき上記装飾物作製用補助具に布地を重ねて、上記第１および第２のプレートが重合するように折り畳むことにより、上記布地を上記第１および第２のプレートの間に挟んだ状態で折り畳む第１のステップと、
重合状態にある上記第１および第２のプレートの上記外周縁に沿って上記布地の不要部分を裁断する第２のステップと、
上記第１のプレートの上記第１の凹部に針を入れて上記第２のプレートの１番目の上記第２の長孔の一方の端部から針を出し、上記第２のプレートのｉ番目の上記第２の長孔の他方の端部に針を入れて上記第１のプレートのｉ番目の上記第１の長孔の一方の端部から針を出し、上記第１のプレートのｉ番目の上記第１の長孔の他方の端部に針を入れて上記第２のプレートのｉ＋１番目の上記第２の長孔の一方の端部から針を出し、上記第２のプレートのＮ＋１番目の上記第２の長孔の他方の端部に針を入れて上記第１のプレートの上記第２の凹部から針を出すことにより布地を縫う第３のステップと、
上記第１および第２のプレートを展開する状態にして、上記装飾物作製用補助具を上記布地から取り外す第４のステップと、
糸を引き締めることにより装飾単位を形成する第５のステップと、を含む、装飾物作製方法。
【請求項８】
上記装飾単位から延びる糸を用いて上記第１ないし第５のステップを繰り返し行うことにより、装飾単位を順次形成して、これら装飾単位の集合体からなる装飾物を得る、請求項７に記載の装飾物作製方法。
【発明の詳細な説明】
【技術分野】
【０００１】
本発明は、布地から所定形状の装飾物を作製するのに適した装飾物作製用補助具に関する。
【背景技術】
【０００２】
パッチワークなどの手芸分野において、小物類などに取り付けて優れた装飾効果を発揮するモチーフ（装飾物）を作製する手法として、つまみ細工が知られている。つまみ細工における装飾物の作製は、布地の小片をつまんで小さく折り畳んだ装飾単位を複数用意し、これら複数の装飾単位を接着剤で固定する、あるいは縫い合わせることにより行う。
【０００３】
具体的な作製手順の一例を挙げると、まず、型紙などを用いて布地に印を入れて、当該布地を所定サイズに裁断する。次いで、解説書などに示された折り操作の手順に従って布地を折り返し、折り畳まれた布地にひだが付くように当該布地の端部を接着剤で止める。このようにして、たとえば花びらを模した装飾単位が得られる。複数の装飾単位を作製するとともに、これら複数の装飾単位を互いに接着し、あるいは土台に接着することにより、装飾物が作製される。
【０００４】
上記従来のつまみ細工における装飾物の作製では、装飾単位の形状を揃えるには熟練を要する。また、多数の装飾物を作製する場合には、作業者の負担もかなり大きなものとなってしまう。
【先行技術文献】
【非特許文献】
【０００５】
【非特許文献１】ｈｏｎｇ  ｐｒｅｓｅｎｔｓ著、「つまみ細工の花々」、株式会社パッチワーク通信社、２００９年１２月３日発行、ｐ．１２〜ｐ．１５
【発明の概要】
【発明が解決しようとする課題】
【０００６】
本発明は、このような事情のもとで考え出されたものであって、つまみ細工などの布地から所定形状の装飾物を作製する手法において、装飾物を簡単かつ効率よく作製することができる装飾物作製用補助具を提供することを課題とする。また、本発明は、このような装飾物作製用補助具を用いて装飾物を作製する方法を提供することを課題とする。
【課題を解決するための手段】
【０００７】
上記の課題を解決するため、本発明では、次の技術的手段を講じている。
【０００８】
本発明の第１の側面によって提供される装飾物作製用補助具は、布地を縫い合わせて所定形状の装飾物を作製するための装飾物作製用補助具であって、それぞれが直線状の基端縁およびこの基端縁の両端につながる外周縁を有する第１および第２のプレートと、上記第１および第２のプレートを、これらの基端縁において回動可能に連結する連結部とを備え、上記第１のプレートの外周縁と上記第２のプレートの外周縁とは、上記連結部を挟んで略対称とされ、上記第１および第２のプレートは、互いに重なり合うように折り畳み可能とされており、上記第１のプレートは、その外周縁において周囲よりも内側に窪んだ第１および第２の凹部と、相互に離間する１番目からＮ番目（Ｎは２以上の整数。以下同じ）までのＮ個の第１の長孔と、を有する一方、上記第２のプレートは、相互に離間する１番目からＮ＋１番目までのＮ＋１個の第２の長孔を有しており、上記第１および第２の長孔の両端部は、上記第１および第２のプレートの外周縁付近に位置し、上記第１および第２のプレートが重合する状態において、上記第１の凹部と１番目の上記第２の長孔の一方の端部とが連通し、ｉ番目（ｉは１≦ｉ≦Ｎを満たす整数。以下同じ。）の上記第２の長孔の他方の端部とｉ番目の上記第１の長孔の一方の端部とが連通し、ｉ番目の上記第１の長孔の他方の端部とｉ＋１番目の上記第２の長孔の一方の端部とが連通し、Ｎ＋１番目の上記第２の長孔の他方の端部と上記第２の凹部とが連通するように構成されている。
【０００９】
本発明の好ましい実施の形態においては、上記第１および第２の凹部ならびに上記第１および第２の長孔の両端部のそれぞれの近傍には、針を通すべき順序を示す番号表記が設けられている。
【００１０】
本発明の好ましい実施の形態においては、上記番号表記は、上記第１および第２のプレートが重合する状態において上記第１および第２の凹部ならびに上記第１および第２の長孔の両端部のうち互いに連通するものについては同一番号とされており、上記各第１の長孔および上記各第２の長孔における一方の端部と他方の端部については連続番号とされている。
【００１１】
本発明の好ましい実施の形態においては、上記各第１の長孔および上記各第２の長孔は、両端部における幅寸法が当該両端部に連通する中間部における幅よりも大とされている。
【００１２】
本発明の好ましい実施の形態においては、上記第１および第２のプレートが重合する状態を維持するためのロック手段をさらに備える。
【００１３】
本発明の好ましい実施の形態においては、上記第１および第２のプレートのうちこれらが重合する際に対向する表面には、上記基端縁が延びる方向に沿って延びる突起が形成されている。
【００１４】
本発明の第２の側面によって提供される装飾物作製方法は、装飾物作製用補助具を用いて装飾物を作製する方法であって、上記装飾物作製用補助具は、それぞれが直線状の基端縁およびこの基端縁の両端につながる外周縁を有する第１および第２のプレートと、上記第１および第２のプレートを、これらの基端縁において回動可能に連結する連結部とを備え、上記第１のプレートの外周縁と上記第２のプレートの外周縁とは、上記連結部を挟んで略対称とされ、上記第１および第２のプレートは、互いに重なり合うように折り畳み可能とされており、上記第１のプレートは、その外周縁において周囲よりも内側に窪んだ第１および第２の凹部と、相互に離間する１番目からＮ番目（Ｎは２以上の整数。以下同じ）までのＮ個の第１の長孔と、を有する一方、上記第２のプレートは、相互に離間する１番目からＮ＋１番目までのＮ＋１個の第２の長孔を有しており、上記第１および第２の長孔の両端部は、上記第１および第２のプレートの外周縁付近に位置し、上記第１および第２のプレートが重合する状態において、上記第１の凹部と１番目の上記第２の長孔の一方の端部とが連通し、ｉ番目（ｉは１≦ｉ≦Ｎを満たす整数。以下同じ。）の上記第２の長孔の他方の端部とｉ番目の上記第１の長孔の一方の端部とが連通し、ｉ番目の上記第１の長孔の他方の端部とｉ＋１番目の上記第２の長孔の一方の端部とが連通し、Ｎ＋１番目の上記第２の長孔の他方の端部と上記第２の凹部とが連通するように構成されており、上記第１および第２のプレートが展開する状態にあるとき上記装飾物作製用補助具に布地を重ねて、上記第１および第２のプレートが重合するように折り畳むことにより、上記布地を上記第１および第２のプレートの間に挟んだ状態で折り畳む第１のステップと、重合状態にある上記第１および第２のプレートの上記外周縁に沿って上記布地の不要部分を裁断する第２のステップと、上記第１のプレートの上記第１の凹部に針を入れて上記第２のプレートの１番目の上記第２の長孔の一方の端部から針を出し、上記第２のプレートのｉ番目の上記第２の長孔の他方の端部に針を入れて上記第１のプレートのｉ番目の上記第１の長孔の一方の端部から針を出し、上記第１のプレートのｉ番目の上記第１の長孔の他方の端部に針を入れて上記第２のプレートのｉ＋１番目の上記第２の長孔の一方の端部から針を出し、上記第２のプレートのＮ＋１番目の上記第２の長孔の他方の端部に針を入れて上記第１のプレートの上記第２の凹部から針を出すことにより布地を縫う第３のステップと、上記第１および第２のプレートを展開する状態にして、上記装飾物作製用補助具を上記布地から取り外す第４のステップと、糸を引き締めることにより装飾単位を形成する第５のステップと、を含む。
【００１５】
本発明の第２の側面において、好ましくは、上記装飾単位から延びる糸を用いて上記第１ないし第５のステップを繰り返し行うことにより、装飾単位を順次形成して、これら装飾単位の集合体からなる装飾物を得る。
【００１６】
本発明のその他の特徴および利点は、添付図面を参照して以下に行う詳細な説明によって、より明らかとなろう。
【図面の簡単な説明】
【００１７】
【図１】本発明に係る装飾物作製用補助具の第１実施形態を示す平面図である。
【図２】図１に示す装飾物作製用補助具を裏返した状態を示す図である。
【図３】図１のＩＩＩ−ＩＩＩ線に沿う断面図である。
【図４】図１に示す装飾物作製用補助具の第１および第２のプレートを重合した状態を示す平面図である。
【図５】図４のＶ−Ｖ線に沿う断面図である。
【図６】図１に示す装飾物作製用補助具の使用方法の一部の手順を示す平面図である。
【図７】図１に示す装飾物作製用補助具の使用方法の一部の手順を示す平面図である。
【図８】図１に示す装飾物作製用補助具の使用方法の一部の手順を示す平面図であり、（ａ）は表側、（ｂ）は裏側を表す。
【図９】図１に示す装飾物作製用補助具の使用方法の一部の手順を示す平面図であり、（ａ）は表側、（ｂ）は裏側を表す。
【図１０】図１に示す装飾物作製用補助具の使用方法の一部の手順を示す平面図である。
【図１１】装飾物の作製における一部の手順を示す図である。
【図１２】装飾物の作製における一部の手順を示す図である。
【図１３】図１に示す装飾物作製用補助具の使用方法の一部の手順を示す図である。
【図１４】図１に示す装飾物作製用補助具を使用して作製された装飾物の一例を示す平面図である。
【図１５】本発明に係る装飾物作製用補助具の第２実施形態を示す平面図である。
【図１６】図１５に示す装飾物作製用補助具を使用して作製された装飾物の一例を示す平面図である。
【図１７】本発明に係る装飾物作製用補助具の第３実施形態を示す平面図である。
【図１８】図１７に示す装飾物作製用補助具を使用して作製された装飾物の一例を示す平面図である。
【図１９】本発明に係る装飾物作製用補助具の第４実施形態を示す平面図である。
【図２０】図１９に示す装飾物作製用補助具を使用して作製された装飾物の一例を示す平面図である。
【発明を実施するための形態】
【００１８】
以下、本発明の好ましい実施の形態について、図面を参照して具体的に説明する。
【００１９】
図１〜図５は、本発明に係る装飾物作製用補助具の第１実施形態を示している。本実施形態の装飾物作製用補助具Ａ１は、対をなすプレート１，２と、連結部３と、ロック手段Ｌ（図５参照）とを備え、たとえばポリプロピレンなどの所定の強度を有する合成樹脂により一体形成されたものである。装飾物作製用補助具Ａ１は、たとえばつまみ細工のように、布地を縫い合わせて所定形状の装飾物（モチーフ）を作製するために用いるものである。
【００２０】
プレート１は、全体として略一定の厚みを有し、直線状の基端縁１ａと、この基端縁１ａの両端につながる外周縁１ｂとによって囲まれた所定形状を有している。
【００２１】
プレート１の適所には、凹部１１Ａ，１１Ｂが設けられている。凹部１１Ａ，１１Ｂは、外周縁１ｂにおいて周囲よりも内側に窪まされることにより形成される。プレート１にはまた、厚み方向に貫通する複数個（本実施形態では１番目から５番目までの５個）の長孔１２（以下、適宜、長孔１２Ａ，１２Ｂ，１２Ｃ，１２Ｄ，１２Ｅという）が形成されている。これら長孔１２Ａ〜１２Ｅは、相互に離間しており、本実施形態では外周縁１ｂの近傍に配されている。各長孔１２は、２つの端部１２１，１２２と、これら両端部１２１，１２２に連通する中間部１２３とを有する。各長孔１２の両端部１２１，１２２もまた、外周縁１ｂの近傍に位置している。
【００２２】
長孔１２の両端部１２１，１２２における幅寸法は、中間部１２３における幅寸法よりも大とされている。本実施形態では、両端部１２１，１２２は、針を無理なく挿通することができる程度の寸法の円弧状とされている。両端部１２１，１２２のそれぞれの直径（幅寸法）は、たとえば２ｍｍ程度である。中間部１２３は一定幅で延びており、中間部１２３の幅寸法は、たとえば１ｍｍ程度である。
【００２３】
図１に表れているように、プレート１の一方の面１ｃにおいて、各凹部１１Ａ，１１Ｂおよび各長孔１２の両端部１２１，１２２の近傍には、番号表記１３が設けられている。詳細については後述するが、番号表記１３は、針を通すべき順序を示すものであり、たとえばプレート１の面１ｃが部分的に窪むことにより形成される。なお、本実施形態では、凹部１１Ａに対応する番号表記１３の近傍には、縫い始めの位置であることを示す開始表示１６Ａが設けられ、凹部１１Ｂに対応する番号表記１３の近傍には、縫い終わりの位置であることを示す終了表示１６Ｂが設けられている。
【００２４】
プレート１の先端には、係合部１４が設けられている。係合部１４は、図１によく表れているように、外周縁１ｂが部分的に内側に窪んだ部位に形成される。図２および図３に表れているように、プレート１の他方の面１ｄには、基端縁１ａが延びる方向に沿って延びる複数の突起１５が設けられている。
【００２５】
プレート２は、プレート１と同様に、全体として略一定の厚みを有し、直線状の基端縁２ａと、この基端縁２ａの両端につながる外周縁２ｂとによって囲まれた所定形状を有している。プレート２と上記のプレート１とは、基端縁２ａ，１ａにおいて薄肉状の連結部３を介して連結されている。これにより、プレート２は、プレート１に対し連結部３において回動可能となっている。図１〜図３は、プレート１，２が展開した状態を表している。そして、図４および図５に表れているように、プレート２は、プレート１と重なり合うように折り畳むことが可能となっている。
【００２６】
プレート２には、厚み方向に貫通する複数個（本実施形態では１番目から６番目までの６個）の長孔２２（以下、適宜、２２Ａ，２２Ｂ，２２Ｃ，２２Ｄ，２２Ｅ，２２Ｆという）が設けられている。長孔２２の数は、プレート１における長孔１２の数よりも１個多い。これら長孔２２は、相互に離間している。各長孔２２は、２つの端部２２１，２２２と、これら両端部２２１，２２２に連通する中間部２２３とを有する。各長孔２２の両端部２２１，２２２は、外周縁２ｂの近傍に位置している。
【００２７】
長孔２２の両端部１２１，１２２における幅寸法は、中間部２２３における幅寸法よりも大とされている。両端部２２１，２２２は、たとえば針を無理なく挿通することができる程度の寸法の円弧状とされている。両端部２２１，２２２のそれぞれの直径（幅寸法）は、たとえば２ｍｍ程度である。中間部２２３は一定幅で延びており、中間部２２３の幅寸法は、たとえば１ｍｍ程度である。
【００２８】
図１に表れているように、プレート２の一方の面２ｃにおいて、各長孔２２の両端部２２１，２２２の近傍には、番号表記２３が設けられている。詳細については後述するが、番号表記２３は、針を通すべき順序を示すものであり、たとえばプレート２の面２ｃが部分的に窪むことにより形成される。
【００２９】
プレート２の先端には、係合部２４が設けられている。図３によく表れているように、係合部２４は、プレート２の他方の面２ｄから垂直に延びており、その先端が内側（基端縁２ａ側）に向いて突出するフック状とされている。図２および図３に表れているように、プレート２の面２ｄには、基端縁２ａが延びる方向に沿って延びる複数の突起２５が設けられている。
【００３０】
図１に表れているように、プレート１の外周縁１ｂとプレート２の外周縁２ｂとは、連結部３を挟んで略対称とされている。ここで、「略対称」とは、プレート１において凹部１１Ａ，１１Ｂや係合部１４が設けられることにより、外周縁１ｂにおいて外周縁２ｂとは対称にならい部分を含んでいることを意味する。言い換えると、外周縁１ｂと外周縁２ｂとは、プレート１の凹部１１，１１Ｂおよび係合部１４を除いた大半の部分において対称とされている。このように外周縁１ｂ，２ｂが対称であることにより、図４に表れているように、プレート１，２を重合すると、外周縁１ｂ，２ｂは、面内方向において重なっている。
【００３１】
図４に表れているように、プレート１，２が重合する状態において、プレート１における凹部１１Ａ，１１Ｂおよび長孔１２Ａ〜１２Ｅの両端部１２１，１２２と、プレート２における長孔２２Ａ〜２２Ｆの両端部２２１，２２２とは、連通している。
【００３２】
具体的には、プレート１の凹部１１Ａは、プレート２の１番目の長孔２２Ａの一方の端部２２１と連通している。当該凹部１１Ａおよび端部２２１に対応する番号表記１３，２３は、「１」である。長孔２２Ａの他方の端部２２２は、プレート１の１番目の長孔１２Ａの一方の端部１２１と連通している。当該端部２２２および端部１２１に対応する番号表記２３，１３は、「２」である。長孔１２Ａの他方の端部１２２は、プレート２の２番目の長孔２２Ｂの一方の端部２２１と連通している。当該端部１２２および端部２２１に対応する番号表記１３，２３は、「３」である。長孔２２Ｂの他方の端部２２２は、プレート１の２番目の長孔１２Ｂの一方の端部１２１と連通している。当該端部２２２および端部１２１に対応する番号表記２３，１３は、「４」である。長孔１２Ｂの他方の端部１２２は、プレート２の３番目の長孔２２Ｃの一方の端部２２１と連通している。当該端部１２２および端部２２１に対応する番号表記１３，２３は、「５」である。長孔２２Ｃの他方の端部２２２は、プレート１の３番目の長孔１２Ｃの一方の端部１２１と連通している。当該端部２２２および端部１２１に対応する番号表記２３，１３は、「６」である。長孔１２Ｃの他方の端部１２２は、プレート２の４番目の長孔２２Ｄの一方の端部２２１と連通している。当該端部１２２および端部２２１に対応する番号表記１３，２３は、「７」である。長孔２２Ｄの他方の端部２２２は、プレート１の４番目の長孔１２Ｄの一方の端部１２１と連通している。当該端部２２２および端部１２１に対応する番号表記２３，１３は、「８」である。長孔１２Ｄの他方の端部１２２は、プレート２の５番目の長孔２２Ｅの一方の端部２２１と連通している。当該端部１２２および端部２２１に対応する番号表記１３，２３は、「９」である。長孔２２Ｅの他方の端部２２２は、プレート１の５番目の長孔１２Ｅの一方の端部１２１と連通している。当該端部２２２および端部１２１に対応する番号表記２３，１３は、「１０」である。長孔１２Ｅの他方の端部１２２は、プレート２の６番目の長孔２２Ｆの一方の端部２２１と連通している。当該端部１２２および端部２２１に対応する番号表記１３，２３は、「１１」である。そして、長孔２２Ｆの他方の端部２２２は、プレート１の凹部１１Ｂと連通している。当該端部２２２および凹部１１Ｂに対応する番号表記２３，１３は、「１２」である。
【００３３】
このようなことから理解されるように、プレート１，２が重合する状態において、番号表記１３，２３は、凹部１１Ａ，１１Ｂおよび長孔１２，２２の両端部１２１，１２２，２２１，２２２のうち互いに連通するものについては同一番号とされている。その一方、番号表記１３，２３は、各長孔１２における一方の端部１２１と他方の端部１２２、および各長孔２２における一方の端部２２１と他方の端部２２２については、連続番号とされている。
【００３４】
また、図５に表れているように、プレート１，２が重合する状態において、プレート１の突起１５が設けられた面１ｄと、プレート２の突起２５が設けられた面２ｄとは、互いに対向している。
【００３５】
ロック手段Ｌは、プレート１，２が重合する状態を維持するためのものであり、プレート１に設けられた係合部１４とプレート２に設けられた係合部２４とが、ロック手段Ｌを担う部分である。プレート２をプレート１に重ねる際には、フック状の係合部２４の先端が係合部１４に当接する。ここで、所定以上の荷重でプレート２をプレート１に押し付けると、係合部２４が僅かに弾性変形しながら当該係合部２４の先端が係合部１４を乗り越え、係合部１４と係合する。このとき、プレート１とプレート２とは重合しており、この重合する状態においては、プレート２がプレート１に対して離間する方向への移動が規制される。
【００３６】
次に、上記構成の装飾物作製用補助具Ａ１を用いて、布地から装飾物を作製する方法について、図６〜図１４を参照して説明する。
【００３７】
まず、図６に表れているように、装飾物作製用補助具Ａ１（展開状態にあるプレート１，２）よりもひと回り大きいサイズの布地Ｃを準備し、布地Ｃの表側に装飾物作製用補助具Ａ１を重ねる。次いで、プレート１，２が重合するように折り畳む。このとき、布地Ｃは、プレート１，２の間に挟まれた状態で折り畳まれる。また、プレート１の係合部１４およびプレート２の係合部２４は、これら係合部１４，２４の間に布地Ｃを挟んだ状態で係合している。
【００３８】
次に、図７に表れているように、重合状態にあるプレート１，２の外形（外周縁１ｂ，２ｂ）に沿って、布地Ｃの不要部分を裁断する。ここで、重合するプレート１，２は、型紙として機能させることができる。布地Ｃは、重合するプレート１，２の間に挟まれているので、通常の型紙を使用する場合と異なり、布地Ｃに印をつける必要がない。また、重合するプレート１，２の外周縁１ｂ，２ｂが面内方向において重なっている。このため、プレート１，２のいずれを表側に向けていても、重合するプレート１，２を型紙として適切に機能させることができる。
【００３９】
さらに、プレート１，２が重合する状態にあるとき、布地Ｃは、対向する面１ｄ，２ｄに設けられた突起１５，２５によって押さえられており、位置ずれが起こり難くなっている。このようなことから、布地Ｃを所定サイズに裁断する作業を効率よく行うことができる。
【００４０】
次に、プレート１，２の番号表記１３，２３の順に針を通し、折り畳まれた布地Ｃを縫い合わす。まず、縫い作業に先立ち、縫い糸の糸端に玉止めを作る。次に、図８に表れているように、プレート１の「１」の番号表記１３に対応する凹部１１Ａに針を入れ、反対側のプレート２の「１」の番号表記２３に対応する、１番目の長孔２２Ａの一方の端部２２１から針を出す。次いで、プレート２の「２」の番号表記２３に対応する、長孔２２Ａの他方の端部２２２に針を入れ、反対側のプレート１の「２」の番号表記１３に対応する、１番目の長孔１２Ａの一方の端部１２１から針を出す。次いで、プレート１の「３」の番号表記１３に対応する、長孔１２Ａの他方の端部１２２に針を入れ、反対側のプレート２の「３」の番号表記２３に対応する、２番目の長孔２２Ｂの一方の端部２２１から針を出す。
【００４１】
その後、番号表記１３，２３として付された番号順に、「４」から「１１」まで、上述したのと同様にして針を通す作業を繰り返す。そして、プレート２の「１２」の番号表記２３に対応する、長孔２２Ｆの他方の端部２２２に針を入れ、プレート１の凹部１１Ｂから針を出す。ここで、縫い作業を終了する。図９は、縫い作業の終了時を表している。これらの図に表された糸Ｓの態様から理解されるように、各長孔１２（２２）の両端部１２１，１２２（２２１，２２２）をつなぐように縫い目が形成される。なお、図９において、裏側を通る糸Ｓについては破線で表されている。
【００４２】
装飾物作製用補助具Ａ１において、番号表記１３，２３は、凹部１１Ａ，１１Ｂおよび長孔１２，２２の両端部１２１，１２２，２２１，２２２のうち、互いに連通するものについては、同一番号とされている。一方、各長孔１２（２２）における一方の端部１２１（２２１）と他方の端部１２２（２２２）については、連続番号とされている。これにより、番号表記１３，２３の番号に従って針を通すだけで、１番目から６番目の長孔２２（２２Ａ〜２２Ｆ）および１番目から５番目の長孔１２（１２Ａ〜１２Ｅ）について、交互に適切な順序で針を通すことができる。かかる構成によれば、縫い作業を適正かつ効率よく行うことができる。
【００４３】
装飾物作製用補助具Ａ１を用いて行う縫い作業においては、ロック手段Ｌにより、プレート１，２が重ね合わされた状態が適切に維持される。したがって、重合する状態を維持するためにプレート１，２を手で押さえ続けておく必要がない。また、プレート１，２が重合する状態においては、突起１５，２５により、布地Ｃの位置ずれ防止が図られている。このような構成によれば、縫い作業を適正かつ効率よく行うことができる。
【００４４】
各長孔１２（２２）において、両端部１２１，１２２（２２１，２２２）の幅寸法は、中間部１２３（２２３）の幅寸法より大とされている。これにより、端部１２１，１２２（２２１，２２２）に針を通す作業を容易に行うことができるとともに、作業者は、一見して針を通すべき位置を認識することができる。かかる構成は、縫い作業を適正かつ効率よく行ううえで好適である。
【００４５】
縫い作業の終了後、装飾物作製用補助具Ａ１を布地Ｃから取り外す。この際には、図１０に表れているように、ロック手段Ｌを解除してプレート１，２を展開する状態にすることにより、装飾物作製用補助具Ａ１を布地Ｃから容易に取り外すことができる。図９を参照すると理解されるように、縫い目は、各長孔１２（２２）の両端部１２１，１２２（２２１，２２２）をつなぐように形成されており、縫い目の端につながる糸Ｓは、凹部１１Ａ，１１Ｂを通っているからである。
【００４６】
次に、図１１に表れているように、糸Ｓを引き締めることにより、布地Ｃを半分に折る。次いで、図１２に表れているように、さらに糸Ｓを引き締め、布地Ｃにひだを寄せる。このようにして、花びらを模した装飾単位Ｃ１が得られる。ここで、プレート１，２の長孔１２，２２の端部１２１，１２２，２２１，２２２は、プレート１，２の外周縁１ｂ，２ｂ付近に位置している。したがって、折り畳まれた布地Ｃに形成される縫い目は、当該布地Ｃの周縁付近を通っている。これにより、糸を引き締めると布地Ｃの一端部が絞られて、図１２に示すような装飾単位Ｃ１が形成される。
【００４７】
次に、作製済の装飾単位Ｃ１から延びる糸Ｓを用いて、他の装飾単位Ｃ１を作製する（図１３参照）。他の装飾単位Ｃ１は、図６〜図１２を参照して上述したのと同様の方法により作製することができる。本実施形態では、たとえば５つの装飾単位Ｃ１を作製した後に、最初に作製した装飾単位Ｃ１の根元に針を通し、糸を引き締めて玉止めをする。このようにして、図１４に示すように、装飾単位Ｃ１の集合体からなり、花を模した装飾物Ｍ１が得られる。上述の説明から理解されるように、装飾物作製用補助具Ａ１を用いることにより、複数の装飾単位Ｃ１においてひだの形状が揃った装飾物Ｍ１を、簡単かつ効率よく作製することができる。
【００４８】
図１５は、本発明に係る装飾物作製用補助具の第２実施形態を示している。なお、図１５以降の図面において、上記実施形態と同一または類似の要素には、上記実施形態と同一の符号を付しており、適宜説明を省略する。
【００４９】
図１５に示された装飾物作製用補助具Ａ２は、プレート１，２を有し、基本的構成は上記実施形態の装飾物作製用補助具Ａ１と同じである。一方、装飾物作製用補助具Ａ２については、この装飾物作製用補助具Ａ２を用いて作製される装飾物Ｍ２（図１６参照）の形状が上記の装飾物作製用補助具Ａ１を用いて作製される装飾物Ｍ１と異なっており、装飾物Ｍ１と装飾物Ｍ２との相違に伴う変更が施されている。
【００５０】
装飾物作製用補助具Ａ２においては、装飾物作製用補助具Ａ１と比べて、外周縁１ｂ，２ｂの形状が異なっており、凹部１１Ａ，１１Ｂ、長孔１２，２２の配置が異なっている。また、本実施形態では、プレート１の長孔１２については、１番目から３番目までの３個の長孔１２Ａ〜１２Ｃが設けられ、プレート２の長孔２２については、１番目から４番目までの４個の長孔２２Ａ〜２２Ｄが設けられている。すなわち、装飾物作製用補助具Ａ２は、装飾物作製用補助具Ａ１と比べて、長孔１２，２２の数がそれぞれ２個少ない。装飾物作製用補助具Ａ２は、これらの変更点を除き、第１実施形態の装飾物作製用補助具Ａ１と実質的に同じ構成である。プレート１，２が重合する状態において、プレート１における凹部１１Ａ，１１Ｂおよび長孔１２Ａ〜１２Ｃの両端部１２１，１２２と、プレート２における長孔２２Ａ〜２２Ｄの両端部２２１，２２２とは、互いに対応するものどうしが連通する位置関係にあることも、上述した第１実施形態の場合と同様である。また、装飾物作製用補助具Ａ２の使用方法も、図６〜図１３を参照して説明した第１実施形態の場合と基本的に同じである。
【００５１】
図１７は、本発明に係る装飾物作製用補助具の第３実施形態を示している。同図に示された装飾物作製用補助具Ａ３は、プレート１，２を有し、基本的構成は上記実施形態の装飾物作製用補助具Ａ１と同じである。一方、装飾物作製用補助具Ａ３については、この装飾物作製用補助具Ａ３を用いて作製される装飾物Ｍ３（図１８参照）の形状が上記の装飾物作製用補助具Ａ１を用いて作製される装飾物Ｍ１と異なっており、装飾物Ｍ１と装飾物Ｍ３との相違に伴う変更が施されている。
【００５２】
装飾物作製用補助具Ａ３においては、装飾物作製用補助具Ａ１と比べて、外周縁１ｂ，２ｂの形状が異なっており、凹部１１Ａ，１１Ｂ、長孔１２，２２の配置が異なっている。また、本実施形態では、プレート１の長孔１２については、１番目から３番目までの３個の長孔１２Ａ〜１２Ｃが設けられ、プレート２の長孔２２については、１番目から４番目までの４個の長孔２２Ａ〜２２Ｄが設けられている。すなわち、装飾物作製用補助具Ａ３は、装飾物作製用補助具Ａ１と比べて、長孔１２，２２の数がそれぞれ２個少ない。装飾物作製用補助具Ａ３は、これらの変更点を除き、第１実施形態の装飾物作製用補助具Ａ１と実質的に同じ構成である。プレート１，２が重合する状態において、プレート１における凹部１１Ａ，１１Ｂおよび長孔１２Ａ〜１２Ｃの両端部１２１，１２２と、プレート２における長孔２２Ａ〜２２Ｄの両端部２２１，２２２とは、互いに対応するものどうしが連通する位置関係にあることも、上述した第１実施形態の場合と同様である。また、装飾物作製用補助具Ａ３の使用方法も、図６〜図１３を参照して説明した第１実施形態の場合と基本的に同じである。
【００５３】
図１９は、本発明に係る装飾物作製用補助具の第４実施形態を示している。同図に示された装飾物作製用補助具Ａ４は、プレート１，２を有し、基本的構成は上記実施形態の装飾物作製用補助具Ａ１と同じである。一方、装飾物作製用補助具Ａ４については、この装飾物作製用補助具Ａ４を用いて作製される装飾物Ｍ４（図２０参照）の形状が上記の装飾物作製用補助具Ａ１を用いて作製される装飾物Ｍ１と異なっており、装飾物Ｍ１と装飾物Ｍ４との相違に伴う変更が施されている。
【００５４】
装飾物作製用補助具Ａ４においては、装飾物作製用補助具Ａ１と比べて、外周縁１ｂ，２ｂの形状が異なっており、凹部１１Ａ，１１Ｂ、長孔１２，２２の配置が異なっている。また、本実施形態では、プレート１の長孔１２については、１番目から４番目までの４個の長孔１２Ａ〜１２Ｄが設けられ、プレート２の長孔２２については、１番目から５番目までの５個の長孔２２Ａ〜２２Ｅが設けられている。すなわち、装飾物作製用補助具Ａ４は、装飾物作製用補助具Ａ１と比べて、長孔１２，２２の数がそれぞれ１個少ない。装飾物作製用補助具Ａ４は、これらの変更点を除き、第１実施形態の装飾物作製用補助具Ａ１と実質的に同じ構成である。プレート１，２が重合する状態において、プレート１における凹部１１Ａ，１１Ｂおよび長孔１２Ａ〜１２Ｄの両端部１２１，１２２と、プレート２における長孔２２Ａ〜２２Ｅの両端部２２１，２２２とは、互いに対応するものどうしが連通する位置関係にあることも、上述した第１実施形態の場合と同様である。また、装飾物作製用補助具Ａ４の使用方法も、図６〜図１３を参照して説明した第１実施形態の場合と基本的に同じである。
【００５５】
以上、本発明の実施形態を説明したが、本発明の技術的範囲は上記した実施形態に限定されるものではない。本発明に係る装飾物作製用補助具の各部の具体的な構成は、発明の思想から逸脱しない範囲内で種々な変更が可能である。上記実施形態の説明から理解できるように、本発明に係る装飾物作製用補助具は、様々なバリエーションの装飾物を作製するのに適用可能である。
【００５６】
上記実施形態の装飾物の作製においては、同じ糸を用いて複数の装飾単位を順次形成する場合を例に挙げて説明したが、装飾物の作製方法はこれに限定されない。たとえば、１つの装飾単位を形成する度に玉止めをし、複数の装飾単位を別個に作った後に、これら装飾単位を一纏めに縫い付けることにより装飾物を得てもよい。
【符号の説明】
【００５７】
Ａ１，Ａ２，Ａ３，Ａ４    装飾物作製用補助具
Ｃ        布地
Ｃ１      装飾単位
Ｌ        ロック手段
Ｍ１，Ｍ２，Ｍ３，Ｍ４    装飾物
Ｓ        糸
１        （第１の）プレート
２        （第２の）プレート
３        連結部
１ａ      （第１のプレートの）基端縁
１ｂ      （第１のプレートの）外周縁
２ａ      （第２のプレートの）基端縁
２ｂ      （第２のプレートの）外周縁
１１Ａ    （第１の）凹部
１１Ｂ    （第２の）凹部
１２，１２Ａ，１２Ｂ，１２Ｃ，１２Ｄ，１２Ｅ    （第１の）長孔
１３      番号表記
１４      係合部
１５      突起
１２１    （長孔の一方の）端部
１２２    （長孔の他方の）端部
１２３    （長孔の）中間部
２２，２２Ａ，２２Ｂ，２２Ｃ，２２Ｄ，２２Ｅ，２２Ｆ    （第２の）長孔
２３      番号表記
２４      係合部
２５      突起
２２１    （長孔の一方の）端部
２２２    （長孔の他方の）端部
２２３    （長孔の）中間部
【図１】
0005119313.tif 000002
【図２】
0005119313.tif 000003
【図３】
0005119313.tif 000004
【図４】
0005119313.tif 000005
【図５】
0005119313.tif 000006
【図６】
0005119313.tif 000007
【図７】
0005119313.tif 000008
【図８】
0005119313.tif 000009
【図９】
0005119313.tif 000010
【図１０】
0005119313.tif 000011
【図１１】
0005119313.tif 000012
【図１２】
0005119313.tif 000013
【図１３】
0005119313.tif 000014
【図１４】
0005119313.tif 000015
【図１５】
0005119313.tif 000016
【図１６】
0005119313.tif 000017
【図１７】
0005119313.tif 000018
【図１８】
0005119313.tif 000019
【図１９】
0005119313.tif 000020
【図２０】
0005119313.tif 000021